(57)【要約】      （修正有）【課題】レインコート等のズボンの脚部寸法を長短自由に調整すると共に、裾部の裾口を植毛帯と止着片を以って狭く結ぶこと。【解決手段】ズボン本体の股の下方に位置する脚部の外周に環状取付帯片を開閉自在に突設状態に縫着する。該環状取付帯片の内面には、ベルベット式ファスナーを取付けると共に、その下方に植毛帯を縫着した折り返し部を設けてある。また、裾部を狭くするベルベット式ファスナーを設けた止着片と、裾口の近くに植毛帯を設けた。【選択図】図１
0003112972.tif 000002
【実用新案登録請求の範囲】
【請求項１】
ズボンの脚部を上下調整するレインコート用ズボンの長短調整装置において、ズボン本体（１）には、股の下端に位置する脚部（３）の外周に環状取付帯片（６）を突設状態に縫着し、該環状取付帯片（６）には、内面に所要数のベルベット式ファスナー（７）（７）を取付け、且つ該環状取付帯片（６）の下方に所要数の植毛帯（８）（８）を縫着した折り返し部（５）を形成したことを特徴とするレインコート用ズボンの長短調整装置。
【請求項２】
請求項１に示す脚部（３）の裾部（１０）には、内面にベルベット式ファスナー（７）を縫着した止着片（９）を縫着し、該止着片（９）の該ベルベット式ファスナー（７）と相対応する位置に相手方の植毛帯（８）を縫着したことを特徴とする請求項１のレインコート用ズボンの長短調整装置。
【考案の詳細な説明】
【技術分野】
【０００１】  本考案は、レインコート用のズボンの下方に位置する脚部の長さ寸法を短い寸法に一着で自由に長短伸縮できるようにしたレインコート用ズボンの長短調整装置に関するものである。
【背景技術】
【０００２】  従来この種のズボンにおいては、各人によって脚部の長さ寸法が各々異なるが、特に男性のズボンは、脚部の寸法を長めに形成するのが一般的に実施されている状況である。
【考案の開示】
【考案が解決しよとうする課題】
【０００３】  従来のズボンの長短調整にあっては、ズボンの裾部を足の長さによって、数段に内方へ折り曲げて長さ寸法を調整するため、折り返した個所が突出して不愉快で大変に体裁が悪いと云う問題点がある。また、雨降りに使用するものであるから、外周に折り返した裾が確実に折り畳まれず、また折り返しの隙間に雨水が溜って不快感になる等の問題点もある。
本考案は、上記の各問題点に鑑みてなされたものであり、その目的とする所は、ズボン本体の脚部に植毛帯を表面に縫着した折り返し部を設け、脚部の全外周に設けた環状取付帯片には、内面に所定個所にベルベット式ファスナーを縫着し、該脚部の折り返し部を折り縮めることにより長さ寸法を調整して該植毛帯を該ベルベット式ファスナーによって締着支持して脚部の長さを容易に長短寸法とすることができる。また、裾部の近くに植毛帯を設けると共に、裏面にベルベット式ファスナーを縫着している止着片を以って裾部の開口部を小さく裾締するものである。
【課題を解決するための手段】
【０００４】  上記目的を達成するために、本考案におけるズボンの長短調整装置においては、ズボン本体の脚部の外周位置に内面にベルベット式ファスナーを縫着した環状取付帯片を開閉自在に縫着する。該環状取付帯片の下方位置の上下内方に折り曲げられる折り返し部の所定位置の該ベルベット式ファスナーと相対する位置に植毛帯を縫着したものである。また、裾部の近傍にベルベット式ファスナーを内面に設けた止着片を縫着すると共に、裾部を裾締めする位置に該ベルベット式ファスナーと相対する植毛帯を縫着するものである。
【考案の効果】
【０００５】  以上説明したように本考案によれば、従来のように、脚部の裾部を数段に折り返して寸法を調整する面倒な手間と著しく体裁が悪い点を解決する効果と、ズボンを従来の如く長さ寸法の異なる数種類のズボンを取り揃える必要がない便利な効果もある。そして、ズボン本体の股の下端に位置する脚部の外周全体に環状取付帯片を突設状態に縫着し、その内面に所要数のベルベット式ファスナーを取付けしたので、該ベルベット式ファスナーが表面に現出せず内部に隠れるため著しく体裁が良好である効果と、寸法を調整する折り返し部に設けた植毛帯は、該ベルベット式ファスナーに強固に接合すると共に、折り返し部が上方に折られるので植毛帯が該環状取付帯片の内面に上昇位置するため、表面に露出しないので大変に体裁が良好となる効果もある。また、脚部の下端の裾部に設けた内面にベルベット式ファスナーを縫着した止着片によって、裾部の外周に縫着した植毛帯によって、該裾部の開口部を容易に小さく裾締めできて邪魔にならない作業性の良い便利な効果がある。
【考案を実施するための最良の形態】
【０００６】  上記のように構成されたレインコート用ズボンの長短調整装置の形態を説明すると、図１に示す脚部（３）の下方に位置する折り返し部（５）を図３、図４に示す如く、表裏の植毛帯（８）が表面に出るように必要の高さまで上方に折り畳み、環状取付帯片（６）の内面に位置するベルベット式ファスナー（７）に対応する位置まで植毛帯（８）を上昇して両者を接合させて脚部（３）を使用に応じた短い寸法に維持して使用するものである。
また、脚部（３）の下端に位置する植毛帯（８）は、水平方向の位置の内面にベルベット式ファスナー（７）を設けた止着片（９）に向って裾部（１０）の開口を狭くして該植毛帯（８）を接合して止着するものである。
【実施例】
【０００７】  次に、本考案の実施例を図面について説明すると、図１は、ズボン本体（１）の正面図を示し図２はズボン本体（１）の背面図を示している。該ズボン本体（１）には、腰部（２）と、膝頭の下方に脚部（３）を有し、該脚部（３）には、外周全体を巻着する環状取付帯片（６）を設け、該環状取付帯片（６）は、外周の上部を該脚部（３）に縫着すると共に、内周面に少なくとも複数個のベルベット式ファスナー（７）（７）の短片を縫着してある。
該脚部（３）の下方に位置する折り返し部（５）は、上方の内側に折り畳みするもので、図４に一部開示して示す如く、植毛帯（８）を表面として折り返し部（５）を畳み込み、図３に示す如く、環状取付帯片（６）の内面に縫着したベルベット式ファスナー（７）に該植毛帯（８）を接着して脚部（３）の外周全体の丈寸法を短く折り畳んで取付けるものである。なお、該脚部（３）の丈寸法を短くする最大は１０ｃｍ程度短く上げることが可能である。
更に、図２に示すものは、ズボン本体（１）の背面図であって、環状取付帯片（６）の内面に図示されていないが、ベルベット式ファスナー（７）を縫着し、その下方は所要数の植毛帯（８）を正面図と同様に縫着して折り返し部（５）によって折り畳まれて該植毛帯（８）とベルベット式ファスナー（７）を接合して、脚部（３）を正面と同様に短寸法とする。
また、図５に示されるものは、請求項２に示す、脚部（３）の下部の裾部（１０）の近傍に植毛帯（８）を縫着し、該植毛帯（８）と水平位置に内面にベルベット式ファスナー（７）を縫着した止着片（９）の端部を縫着し、該止着片（９）を開閉自在に装着したものである。該裾部（１０）の開口部を小さくする時には、該植毛帯（８）を該止着片（９）の内方に押し畳んで開口部を狭くすると共に、該植毛帯（８）の一部に該ベルベット式ファスナー（７）を接合して止着するものである。符号（１１）は、ズボン本体（１）の上部の伸縮部を示すものである。
【図面の簡単な説明】
【０００８】
【図１】  本考案のズボン本体の正面図である。
【図２】  同じく本考案のズボン本体の背面図である。
【図３】  本考案の脚部の丈を短く上げた状態の一部欠除した正面図である。
【図４】  同じく本考案の環状取付帯片の上方に開放して内部のベルベット式ファスナーと植毛帯の位置を確認した一部欠除した正面図である。
【図５】  本考案の裾部分を狭くする場合の止着片の開放状態を示す一部欠除した脚部の正面図である。
【符号の説明】
【０００９】    １          ズボン本体
２          腰部
３          脚部
５          折り返し部
６          環状取付帯片
７          ベルベット式ファスナー
８          植毛帯
９          止着片
１０        裾部
１１        伸縮部
【図１】
0003112972.tif 000003
【図２】
0003112972.tif 000004
【図３】
0003112972.tif 000005
【図４】
0003112972.tif 000006
【図５】
0003112972.tif 000007